(57)【要約】【課題】患者の歯に歯科矯正装置のブラケットを着脱自在に、かつそれを迅速にできるとしたブラケット取り付け治具を提供する。【解決手段】この発明にかかるブラケット取り付け治具４０は、背面視略Ｔ字型に形成された治具本体部４２と磁石からなる接合部材６０とにより構成される。治具本体部４２は、ブラケット１０を保持するためのブラケット保持部４４、接合部材６０を保持するための接合部材保持部４８およびブラケット取り付け治具４０を患者の歯９０に取り付けるための治具補助部４６により形成される。ブラケット保持部４４には、ブラケット背面部の突部を嵌め込むための凹部５２が形成される。【選択図】図５
2010187915.tif 000002
【特許請求の範囲】
【請求項１】
歯の矯正を行うに際して、患者の歯の舌面側に接着固定する歯科矯正用の磁性体により形成されるブラケットを位置決めし、患者の歯に取り付けるためのブラケット取り付け治具であって、
前記ブラケットの背面部の突部を嵌め込むための凹部が形成されるブラケット保持部と、
前記ブラケット保持部と一体に形成され、歯の切縁または咬合面の陰型である治具維持面が形成される治具補助部とを備え、
前記ブラケット保持部の内部には、前記ブラケットを磁力で保持するための磁石からなる接合手段が設けられることを特徴とする、ブラケット取り付け治具。
【請求項２】
前記凹部は、前記ブラケットの背面部の突部における上部のみを嵌め込むように形成されることを特徴とする、請求項１に記載のブラケット取り付け治具。
【請求項３】
前記ブラケット保持部の内部において、前記凹部の深さ方向に対して直角の方向の前記接合手段の幅は、前記凹部の深さ方向に行くにしたがって広くなっていくように形成されることを特徴とする、請求項１または請求項２に記載のブラケット取り付け治具。
【請求項４】
前記凹部において、前記ブラケットと前記接合手段とを直接接触させるための開口部が形成されることを特徴とする、請求項１ないし請求項３のいずれかに記載のブラケット取り付け治具。
【発明の詳細な説明】
【技術分野】
【０００１】
本発明は、患者の歯の矯正を行う際に用いられるブラケットを位置決めするための取り付け治具に関する。
【背景技術】
【０００２】
患者の歯の矯正を行う手段として、それに利用される歯科矯正装置のブラケットを患者の歯に取り付ける場合、その歯の舌側面に歯科矯正装置のブラケットを接着することが行われている。しかしながら、歯の舌側面は、唇側面と比べ複雑な形状をしていることおよび奥まった位置にあることから、歯科矯正装置のブラケットの理想的な位置決めが困難である。図６は、この発明の背景となる従来の歯科矯正装置のブラケット取り付け治具１００である。この従来のブラケット取り付け治具１００は、歯の矯正を行うためのブラケット１１０を位置決めして取り付けるブラケット取り付け治具１００であって複数種の硬度の異なる部材から構成されており、歯に接する最も内側の部材１０２を、その外側の部材１０４よりも低硬度の部材としたものである（特許文献１参照）。
【先行技術文献】
【特許文献】
【０００３】
【特許文献１】特開２００６−０４３１２１号公報
【発明の概要】
【発明が解決しようとする課題】
【０００４】
しかしながら、このブラケット取り付け治具１００にブラケット１１０を取り付けた状態では、図６に示すとおり、ブラケット１１０が低硬度の部材の中に埋まっているため、歯科矯正装置のブラケット１１０の着脱が迅速に行いにくい問題がある。また、ブラケット取り付け治具１００にブラケット１１０の取り付けられている状態が外から確認しづらい。さらに、ブラケット取り付け治具１００からブラケット１１０の着脱を繰り返すことによって、ブラケット取り付け治具１００の内側の部材１０２においてブラケット１１０が取り付けられる部分が磨耗しやすくなるため、ブラケット１１０の取り付け位置の精度が低下する問題がある。
【０００５】
それゆえに、この発明の主たる目的は、患者の歯に歯科矯正装置のブラケットを着脱自在に、かつそれを迅速にできるブラケット取り付け治具を提供することである。
【課題を解決するための手段】
【０００６】
この発明にかかるブラケット取り付け治具は、歯の矯正を行うに際して、患者の歯の舌面側に接着固定する歯科矯正用の磁性体により形成されるブラケットを位置決めし、患者の歯に取り付けるためのブラケット取り付け治具であって、ブラケットの背面部の突部を嵌め込むための凹部が形成されるブラケット保持部と、ブラケット保持部と一体に形成され、歯の切縁または咬合面の陰型である治具維持面が形成される治具補助部とを備え、ブラケット保持部の内部には、ブラケットを磁力で保持するための磁石からなる接合手段が設けられることを特徴とする、ブラケット取り付け治具である。
また、この発明にかかるブラケット取り付け治具では、凹部は、ブラケットの背面部の突部における上部のみを嵌め込むように形成されることが好ましい。
さらにまた、この発明にかかるブラケット取り付け治具では、ブラケット保持部の内部において、凹部の深さ方向に対して直角の方向の接合手段の幅は、凹部の深さ方向に行くにしたがって広くなっていくように形成されることが好ましい。
また、この発明にかかるブラケット取り付け治具では、凹部において、ブラケットと接合手段とを直接接触させるための開口部が形成されることが好ましい。
【発明の効果】
【０００７】
この発明にかかるブラケット取り付け治具では、ブラケットの背面部の突部が凹部に保持され、かつ磁石の磁力により歯科矯正装置のブラケットがブラケット取り付け治具に取り付けられているので、ブラケット取り付け治具からブラケットを着脱自在に、かつ迅速に行うことができる。
また、この発明にかかるブラケット取り付け治具では、ブラケットの背面部の突部の上部のみが凹部に保持されてブラケットがブラケット取り付け治具にブラケットが取り付けられると、外部から視認出来る状態であるので、患者の歯にブラケットを取り付ける際に、所定の場所に精度よく取り付けることができ、さらに、ブラケットに塗布された余剰の接着剤を容易に取り除くことができる。
また、この発明にかかるブラケット取り付け治具では、ブラケット保持部の内部において、凹部の深さ方向に対して直角の方向の接合手段の幅は、凹部の深さ方向に行くにしたがって広くなっていくように形成されると、ブラケット保持部から接合手段が容易に抜けることを防止することができる。
さらにまた、この発明にかかるブラケット取り付け治具では、凹部において、ブラケットと接合手段たる磁石とを直接接触させるための開口部を設けることで、このブラケット取り付け治具にブラケットをしっかりと位置決めし、固定することができる。
【０００８】
この発明の上述の目的、その他の目的、特徴および利点は、図面を参照して行う以下の発明を実施するための形態の説明から一層明らかとなろう。
【図面の簡単な説明】
【０００９】
【図１】（Ａ）は、この発明にかかるブラケット取り付け治具によって患者の歯に取り付けられるブラケットの一例の斜視図であり、（Ｂ）は、この発明にかかるブラケット取り付け治具によって患者の歯に取り付けられるブラケットの他の例の斜視図である。
【図２】（Ａ）は、図１（Ａ）のブラケットが、患者の歯の舌側面に取り付けられた状態を示す図であり、（Ｂ）は、図１（Ａ）のブラケットが患者の歯の舌側面に複数取り付けられた状態を示す概略図である。
【図３】この発明にかかるブラケット取り付け治具を示す図であり、（Ａ）は、その正面図であり、（Ｂ）は、その背面図であり、（Ｃ）は、その側面図であり、（Ｄ）は、その断面図である。
【図４】（Ａ）〜（Ｅ）は、この発明にかかるブラケット取り付け治具の作製方法を説明するための模式図である。
【図５】この発明にかかるブラケット取り付け治具を使用して患者の歯にブラケットを取り付ける際の様子を示す模式図である。
【図６】従来のブラケット取り付け治具を示す図である。
【発明を実施するための形態】
【００１０】
本発明にかかるブラケット取り付け治具は、歯の舌面側に歯科矯正装置を取り付けて歯の矯正を行う、マルチリンガルブラケット法において用いられるものである。最初に、図１において、本実施形態に係るブラケット取り付け治具に使用される歯科矯正装置のブラケット１０，３０について説明する。
【００１１】
図１（Ａ）は、この発明にかかるブラケット取り付け治具によって歯に取り付ける歯科矯正装置のブラケットの一例を示す斜視図である。この歯科矯正装置のブラケット１０（以下、単にブラケット１０という）は、患者の歯９０（以下、単に歯９０という）に接着される略長方形の板状をしたベース１２と、突部１４とを有している。突部１４は、ベース１２の背面１６、すなわち、歯９０に接着される面（接着面１８）とは反対側の面に歯科矯正用のワイヤー２４（以下、単にワイヤー２４という）が嵌まるスロット２０と、スロット２０の両側で外側に張り出したタイウイング２２ａ，２２ｂとを備えている。タイウイング２２ａ，２２ｂにより挟まれたスロット２０の上面において、スロット縁２１ａ，２１ｂが形成される。
【００１２】
また、図１（Ｂ）は、この発明にかかるブラケット取り付け治具によって歯に取り付ける他の例の歯科矯正装置のブラケット３０を示す斜視図である。歯科矯正装置のブラケット３０（以下、単にブラケット３０という）は、歯９０に接着される略長方形の板状をしたベース１２と、突部１４とを有している。突部１４は、ベース１２の背面１６、すなわち、歯９０に接着される面（接着面１８）とは反対側の面に形成される。突部１４は、ベース１２から上方に突出している突出部３２と、突出部３２の上方に設けられた、ベース１２に比べ小さな略長方形の板状のバイトプレーン３４と、突出部３２の下方の部分から側方に向かってＴ字型の形状をしたフック３６により構成される。また、フック３６とバイトプレーン３４との間において、歯９０の根元側に向けて開口した隙間に、ワイヤー２４が通されるスロット２０が形成される。さらに、フック３６とベース１２との間で、歯９０の根元方向に向けて開口した隙間によって、タイウイング２２ａが形成され、ベース１２とバイトプレーン３４との間で、歯９０の先端方向に向けて開口した隙間によって、タイウイング２２ｂがそれぞれ形成されている。
【００１３】
図２（Ａ）および図２（Ｂ）は、ブラケット１０が、歯９０の舌側面８０に取り付けられた状態を示す図および概略図である。ブラケット１０は、ベース１２の接着面１８が接着剤２６により歯９０の舌側面８０に接着（ボンディング）されることにより歯９０に固定される。このブラケット１０は、図２（Ｂ）に示すとおり、矯正すべき患者の複数の歯９０に適宜固定される。そして、ブラケット１０におけるスロット２０にワイヤーが結紮され（図示せず）、タイウイング２２ａ，２２ｂは、スロット２０に挿入されたワイヤー２４をブラケット１０に結紮して固定するための細いワイヤーやゴム等を掛けるために利用される。
【００１４】
また、ブラケット３０についても、同様に、歯９０に接着剤によって接着されることで固定される。この場合、ブラケット３０におけるスロット２０にワイヤー２４が結紮される。タイウイング２２ａ，２２ｂは、スロット２０に挿入されたワイヤー２４をブラケット３０に結紮して固定するための細いワイヤーやゴム等を掛けるために利用される。
【００１５】
これらのブラケット１０，３０は、歯の舌側面に取り付ける事で患者の歯を矯正するマルチリンガルブラケット法により使用されるものである。本発明のブラケット取り付け治具に使用されるブラケット１０，３０の材料は、例えば、ニッケル、コバルト、チタン等の磁性体の金属により形成されるものである。ブラケット１０，３０は、それ自体が矯正力を有するものではなく、スロット２０にワイヤー２４を結紮し、そのワイヤー２４の力を正確に歯に伝えるための治具である。そのため、ブラケット１０，３０を歯の正確な位置に取り付けることが重要となる。また、一般にワイヤー２４は、ステンレスあるいはニッケルとチタンの合金であるＮｉＴｉを材料とするものが使用される。
【００１６】
次に、ブラケット１０，３０を患者の歯９０の理想的な位置に取り付けるための本発明にかかるブラケット取り付け治具について説明する。
【００１７】
図３において、ブラケット取り付け治具４０を示す。図３（Ａ）は、その正面図であり、図３（Ｂ）は、その背面図である。図３（Ｃ）は、その側面図を示し、図３（Ｄ）は、その断面図を示す。また、図３（Ａ）ないし図３（Ｄ）においては、上方を上端とし、下方を下端とする。また、正面図に示す面を裏面８４とし、背面図に示す面を表面８６とする。
【００１８】
ブラケット取り付け治具４０は、ブラケット１０を位置決めして患者の歯９０の舌側面８０に取り付けるための治具である。ブラケット取り付け治具４０は、この治具を形成する治具本体部４２と磁石からなる接合部材６０とにより構成される。
【００１９】
治具本体部４２は、ブラケット保持部４４、接合部材保持部４８および治具補助部４６が一体に形成される。治具本体部４２の一方端側には、ブラケット保持部４４が形成される。また、ブラケット保持部４４の内部には、接合部材保持部４８が形成される。治具本体部４２の他方端側には、治具補助部４６が形成される。治具本体部４２は、ブラケット保持部４４が形成される側よりも治具補助部４６が形成される側の幅が広くなるように形成され、その結果、背面視略Ｔ字型の形状に形成される。
【００２０】
ブラケット保持部４４は、ブラケット１０をブラケット取り付け治具４０に保持するために設けられる。ブラケット保持部４４は、治具本体部４２の一方端側に形成される。ブラケット保持部４４は、平面部５０と凹部５２とを有する。このブラケット保持部４４の裏面８４には、平面部５０が平面にして形成される。このブラケット保持部４４の平面部５０の略中央部には、ブラケット１０の突部１４を嵌め込み、固定するためのブラケット１０の突部１４の形状に対応した凹部５２が形成される。
【００２１】
ブラケット保持部４４に形成されている凹部５２は、ブラケット１０の突部１４を保持するために設けられる。凹部５２は、ブラケット１０の突部１４の形状に対応して上下方向に縦長である略直方体の空間として形成され、突部１４を上下左右から囲むように形成される。これにより、ブラケット１０がブラケット取り付け治具４０からずれることなく、確実にブラケット１０を固定することができる。また、ブラケット１０が、ブラケット取り付け治具４０に対して、９０度回転した状態で取り付けられることを防止することができる。また、ブラケット１０の突部１４の上部に形成されているタイウイング２２ａ，２２ｂのみを上下左右から囲むような略直方体の空間に形成されてもよい。これにより、ブラケット１０を患者の歯９０に取り付けた後にブラケット取り付け治具４０をスムーズに取り付け、取り外すことができる。
【００２２】
また、凹部５２にブラケット１０の突部１４を嵌め込んだときに、その凹部５２において、その突部１４の上面が接触する面には、例えば略円形に開口した開口部５４が形成される。その結果、開口部５４を介して、接合部材保持部４８と凹部５２とが連結される。
【００２３】
接合部材保持部４８は、接合部材６０を保持するために設けられる。接合部材保持部４８は、ブラケット保持部４４の内部に形成される。接合部材保持部４８には、接合部材６０たる磁石が配置される。なお、本実施例においては、接合部材６０は、例えば、略球形に形成されているので、接合部材保持部４８は、接合部材６０と略同じ大きさの球形に形成されている。なお、この接合部材６０に用いられる磁石の直径の大きさは、略円形に開口した開口部５４の直径の大きさよりも大きい。
【００２４】
治具補助部４６は、ブラケット取り付け治具４０を患者の歯９０に取り付けるために設けられる。治具補助部４６は、治具本体部４２の他方端側に形成される。治具補助部４６の左右方向の幅の大きさは、少なくともブラケット取り付け治具４０を取り付ける患者の歯９０の幅の大きさ以下に形成され、背面視略長方形に形成される。また、治具補助部４６は、ブラケット取り付け治具４０を歯９０に取り付けた場合、歯９０の唇側面８２から歯の切縁９２（切歯または犬歯の場合は切縁であるが、臼歯の場合は咬合面である。以下、同様。）を跨ぐように形成され、結果、側面視Ｊ字型に形成される。治具補助部４６における歯の切縁９２との接触面には、歯の切縁９２の陰型となるような形状となる治具維持面５６が形成される。さらに、治具維持面５６は、歯９０の唇側面８２の左右方向に湾曲した曲面に沿うように形成される。
【００２５】
接合部材６０は、磁石により構成される。上述したように、接合部材６０は、例えば、略球形に形成されており、接合部材保持部４８に配置される。なお、接合部材６０たる磁石は、開口部５４からその一部が露出することで、ブラケット１０をブラケット取り付け治具４０に取り付けた際に、開口部５４を介してブラケット１０と直接接触する。この接合部材６０に用いられる磁石の直径の大きさは、略円形に開口した開口部５４の直径の大きさよりも大きい。これにより、その磁石が接合部材保持部４８から容易に抜けることを防止することができる。磁石の直径の大きさは、ブラケット保持部４４における表面８６から裏面８４の方向の厚さに対して、例えば、２／３ないし３／４の大きさで形成され、１．５ｍｍ〜２ｍｍで形成されるのが望ましい。また、開口部５４からの接合部材６０の露出の高さは、凹部５２の平面部５０により形成される面からの深さよりも少なくとも小さいことが望ましい。
【００２６】
本実施形態においては、治具本体部４２は、レジン系修復材料（光重合レジン、即時重合レジン等）が使用される。また、このレジンに透過性の部材を用いることで、ブラケット１０，３０を患者の歯に取り付ける際に、光硬化性の接着剤を使用することができる。
【００２７】
（ブラケット取り付け治具の作製方法）
次に、図４を参照しながら、ブラケット取り付け治具の作製方法について説明する。なお、ここでは、ブラケット１０に対応するブラケット取り付け治具の作製方法について説明するが、ブラケット３０の場合についても同様の作製方法を適用することができる。
【００２８】
まず、患者の歯型を印象剤により採得する。本実施の形態では、アルジネート印象剤またはシリコーン印象剤を用いて印象採得する。このとき、全顎用または一部顎用の印象トレーを用いて印象材料を保持する。次に、この歯型印象を用いて、硬石膏による歯型模型を作製する。そして、この歯型模型を分割して、矯正完了後の目標とする歯並びに配列しなおしたセットアップ歯型模型を作製する。そして、セットアップ歯型模型の歯９４（以下、単に歯９４という）の舌側面８０にブラケット１０を、ターグ等の位置決め装置により接着剤２６で正確に位置決めして取り付ける。
【００２９】
次に、図４（Ａ）に示すとおり、ブラケット１０上に、ブラケット１０のタイウイング２２ａ，２２ｂに被せるように、未硬化状態の光重合レジンを形成し、ブラケット固定部６２を形成する。このとき、ブラケット１０のタイウイング２２ａ，２２ｂを上下左右方向から囲むように形成することで、凹部５２を形成する。そして、接合部材６０たる磁石をブラケット１０の上面のスロット縁２１ａ，２１ｂに載せ、その磁石の磁力により取り付けられる。このとき、接合部材６０とブラケット１０のスロット縁２１ａ，２１ｂとは直接、接するように載せ、ブラケット保持部４４を形成する光重合レジン上に接合部材６０を配置する位置を決める。そして、光照射器から光線を光重合レジンに照射させることで、該レジンを硬化させて、ブラケット保持部４４の一部であるブラケット固定部６２が形成される。
【００３０】
次に、図４（Ｂ）に示すとおり、未硬化状態の光重合レジンを歯９４の切縁９６に載せることで、維持面形成部６４が形成される。このとき、光重合レジンが、歯９４の唇側面８２から歯９４の切縁９６を跨ぎ、歯９４の舌側面８０までかかるように載せられることで、歯９４の切縁９６の形状に対応した陰型となる治具維持面５６が形成される。そして、光照射器から光線を光重合レジンに照射させることで、該レジンを硬化させて、治具補助部４６の一部である維持面形成部６４が形成される。
【００３１】
次に、図４（Ｃ）に示すとおり、維持面形成部６４の舌側面８０における下端部分とブラケット固定部６２の上面とを未硬化状態の光重合レジンで連結させることで、治具補助部４６の他の一部である連結部６６が形成される。そして、光照射器から光線を光重合レジンに照射させることで、該レジンを硬化させる。この連結部６６により、維持面形成部６４とブラケット固定部６２との位置関係が固定される。したがって、ブラケット取り付け治具４０により患者の歯９０にブラケット１０を取り付ける際に、患者の歯９０に対して理想的な状態に位置決めすることができる。
【００３２】
次に、図４（Ｄ）に示すとおり、未硬化状態の即時重合レジンを用いて、ブラケット固定部６２、維持面形成部６４および連結部６６を一体化するために、治具外形部６８が形成される。これにより、ブラケット取り付け治具４０の外形を肉厚にすることができるので、この後にブラケット取り付け治具４０がより扱いやすくなる。
【００３３】
以上により、ブラケット固定部６２、維持面形成部６４、連結部６６および治具外形部６８のそれぞれが一体に形成されることで、治具本体部４２が形成され、ブラケット取り付け治具４０が作製される。
【００３４】
そして、図４（Ｅ）に示すように、ブラケット１０とブラケット取り付け治具４０とを一体化したもの（以下、ブラケット付き取り付け治具７０という）を、セットアップ歯型模型の歯９４から取り外す。そして、ブラケット取り付け治具４０の形状を整える。これにより、形状は、背面視略Ｔ字型に形成される。以上の作製方法により、ブラケット取り付け治具４０の作製は、矯正に必要とする患者の各歯９０に対して行われる。
【００３５】
次に、図５に示すように、ブラケット付き取り付け治具４０の治具補助部４６を、患者の各歯９０に被せることにより、ブラケット１０を患者の歯９０の所定の位置に位置決めされた状態で接着する。このとき、ブラケット１０の接着面１８に、あらかじめ光硬化性の接着剤２６を塗布しておく。治具本体部４２は、透明性の部材により形成されることから、ブラケット付き取り付け治具７０を歯９０に装着した状態で、その外側から光を照射することで、ブラケット１０を歯９０に接着することができる。
【００３６】
接着剤２６が硬化し、ブラケット１０が患者の歯９０に接着された後、ブラケット取り付け治具４０を歯９０から取り外す。ここで、ブラケット１０とブラケット取り付け治具４０とは、接合部材保持部４６に設けられた接合部材６０たる磁石による磁力により取り付けられていることから、容易に取り外すことができ、ブラケット１０は、歯９０に接着されたまま残る。このとき、接合部材６０たる磁石の磁力は、接着剤２６の接着力よりも弱いことが望ましい。このようにして、ブラケット１０の歯９０への取り付けが行われる。このブラケット１０の取り付け作業は、患者の各歯９０に対して行われる。
【００３７】
本発明にかかるブラケット取り付け治具４０によれば、ブラケット取り付け治具４０にブラケット１０，３０における突部１４が凹部に嵌め込まれ、かつ接合部材６０たる磁石の磁力により取り付けられているので、ブラケット１０，３０は、ブラケット取り付け治具４０からブラケット１０，３０を着脱自在にかつ、迅速に行うことができる。
【００３８】
また、本発明にかかるブラケット取り付け治具４０によれば、ブラケット取り付け治具４０にブラケット１０，３０が、接合部材６０たる磁石が凹部５２に設けられた開口部５４を介して直接接触するように取り付けられるので、ブラケット取り付け治具４０にしっかりと位置決めし、固定することができる。
【００３９】
さらにまた、本発明にかかるブラケット取り付け治具４０によれば、ブラケット１０，３０における突部１４の上部のみが凹部に嵌め込まれてブラケット１０，３０が取り付けられるので、そのブラケット１０，３０の取り付け状態が外部から視認できる状態であるから、取り付け状態を容易に修正することができる。さらにまた、ブラケット１０，３０の接着面１８に塗布された余剰の接着剤を容易に取り除くことができる。
【００４０】
また、本発明にかかるブラケット取り付け治具４０よれば、接合部材保持部４６に配置される接合部材６０に用いられる磁石の形状を略球形とし、かつ開口部５４の直径の大きさをその磁石の直径の大きさよりも小さく形成することで、その磁石が接合部材保持部４６から容易に抜けることを防止することができる。
【００４１】
また、ブラケット取り付け治具４０によれば、治具本体部４２において、ブラケット保持部４４が形成される側よりも治具補助部４６が形成される側の方が、幅を広く形成するので、ブラケット取り付け治具４０を患者の歯９０に安定して取り付け、装着させることができる。また、ブラケット保持部４４が形成される側を治具補助部４６が形成される側よりも幅を狭く形成するので、ブラケット取り付け治具４０を患者に取り付けた状態で、接着剤等を取り除くための他の治具等をブラケット１０，３０の取り付け位置付近に入れやすくなるといった効果を有する。
【００４２】
また、ブラケット付き取り付け治具７０によれば、患者の歯型と同じ形状であるセットアップ歯型模型を用いて形成されているので、ブラケット付き取り付け治具７０を患者の歯９０に装着した場合、ブラケット１０をセットアップ歯型模型の歯９４において位置決めした位置と同じ位置に取り付けることができる。
【００４３】
以上、本発明の一実施形態について説明したが、本発明はこれ以外にも種々変形可能となっている。以下、それについて述べる。
【００４４】
本実施例においては、治具本体部４２の材料は、ブラケット１０，３０を患者の歯９０に取り付けるときに使用される接着剤２６に光硬化性の接着剤２６を使用することを考慮すると透過性のレジン系修復材料が好ましいが、これに限られるものではない。
【００４５】
また、本実施例においては、ブラケット固定部６２、維持面形成部６４および連結部６６を形成するにあたり、微妙な調整が可能な光重合レジンを使用したが、即時重合レジンを使用してもかまわない。また、治具外形部６８の形成にあたり、上記実施例においては、即時重合レジンを用いるとしたが、光重合レジンを用いてもかまわない。
【００４６】
また、本実施例においては、ブラケット保持部４４の凹部５２において開口部５４を設けることで、ブラケット取り付け治具４０にブラケット１０，３０を接合手段６０たる磁石と直接接触するようにしたが、開口部５４を設けなくてもよい。
【００４７】
また、本実施例においては、接合部材６０たる磁石の形状は、略球形としたが、それに限られることない。ブラケット保持部の内部において、凹部５２の深さ方向に対して直角の方向の接合部材６０たる磁石の幅が、凹部５２の深さ方向に行くにしたがって広くなるように形成していればよい。例えば、オバール、側面視凸形状、三角形（三角錐）または台形（円錐台）に形成したものでもよい。そうすることで、接合部材６０が、ブラケット保持部４４から抜けることを防止することができる。
【００４８】
また、本実施例においては、患者の歯９０にブラケット１０，３０を接着する際に用いられる接着剤２６に、光硬化性の接着剤を用いたが、これに限られるものではない。
【００４９】
さらにまた、本実施例においては、ブラケット取り付け治具４０の使用にあたり、ブラケット１０，３０を例示したが、これらのブラケットに限らず、その他の磁性体により形成された患者の歯の舌面側に取り付けられる歯科矯正装置のブラケットにも使用できる。
【産業上の利用可能性】
【００５０】
この発明にかかるブラケット取り付け治具は、歯の矯正に関する産業に利用することができる。
【符号の説明】
【００５１】
１０、３０  歯科矯正装置のブラケット
１２  ベース
１４  突部
１６  背面
１８  接着面
２０  スロット
２１ａ、２１ｂ  スロット縁
２２ａ、２２ｂ  タイウイング
２４  歯科矯正用のワイヤー
２６  接着剤
３２  突出部
３４  バイトプレーン
３６  フック
４０  ブラケット取り付け治具
４２  治具本体部
４４  ブラケット保持部
４６  治具補助部
４８  接合部材保持部
５０  平面部
５２  凹部
５４  開口部
５６  治具維持面
６０  接合部材
６２  ブラケット固定部
６４  維持面形成部
６６  連結部
６８  治具外形部
７０  ブラケット付き取り付け治具
８０  舌側面
８２  唇側面
８４  裏面
８６  表面
９０  患者の歯
９２  患者の歯の切縁
９４  セットアップ歯型模型の歯
９６  セットアップ歯型模型の歯の切縁
【図１】
2010187915.tif 000003
【図２】
2010187915.tif 000004
【図３】
2010187915.tif 000005
【図４】
2010187915.tif 000006
【図５】
2010187915.tif 000007
【図６】
2010187915.tif 000008